(57)【要約】【課題】隣接セルの測定レポート待ち時間を短縮する無線通信端末装置及び隣接セル測定方法を提供する。【解決手段】ＳＴ６０１では、隣接セルリストに含まれるセルのＣＭＦ値に基づいて、測定タイプ毎に測定リストを生成し、ＳＴ６０２では、生成された測定リストから測定インスタンスを生成する。このとき生成される測定インスタンス数はＣＭＦ値と同数となる。ＳＴ６０３では、生成された測定インスタンスを順序付けして乱雑化した測定シーケンスを生成する。【選択図】図６
2008236727.tif 000002
【特許請求の範囲】
【請求項１】
自装置が属するセルの周辺セルを示す隣接セルリスト及び前記隣接セルリストに含まれるセルの測定頻度を示すＣＭＦ情報を受信する受信手段と、
前記隣接セルリスト及び前記ＣＭＦ情報を用いて、セルを測定する順序である測定シーケンスを生成する測定シーケンス生成手段と、
生成された前記測定シーケンスにしたがって、前記隣接セルリストに含まれるセルを測定する測定手段と、
を具備する無線通信端末装置。
【請求項２】
前記測定シーケンス生成手段は、自装置の受信能力に基づいて、測定シーケンスを変化させる請求項１に記載の無線通信端末装置。
【請求項３】
前記測定シーケンス生成手段は、セルのサービス能力に基づいて、前記隣接セルリストに含まれるセルのＣＭＦ情報をオフセットする請求項１に記載の無線通信端末装置。
【請求項４】
前記測定シーケンス生成手段は、ＣＭＦカットオフ情報より小さいＣＭＦ情報のセルの測定を制限する請求項１に記載の無線通信端末装置。
【請求項５】
前記測定シーケンス生成手段は、複数のセルに共通のＣＭＦ情報を用いて、測定シーケンスを生成する請求項１に記載の無線通信端末装置。
【請求項６】
前記測定シーケンス生成手段は、周波数毎の測定頻度を示すＭＦ情報を用いて、測定シーケンスを生成する請求項１に記載の無線通信端末装置。
【請求項７】
自装置が属するセルの周辺セルを示す隣接セルリスト及び前記隣接セルリストに含まれるセルの測定頻度を示すＣＭＦ情報を用いて、セルを測定する順序である測定シーケンスを生成する測定シーケンス生成工程と、
生成された前記測定シーケンスにしたがって、前記隣接セルリストに含まれるセルを測定する測定工程と、
を具備する隣接セル測定方法。
【発明の詳細な説明】
【技術分野】
【０００１】
本発明は、隣接セルを測定する無線通信端末装置及び隣接セル測定方法に関する。
【背景技術】
【０００２】
ＵＭＴＳ（Universal Mobile Telecommunication System）においては、ユーザ（ＵＥ）は、ネットワークによって提供される情報に基づいて、自身の属するセルの周辺セル（以下、「隣接セル」という）を測定する。このネットワークによって提供される情報には、隣接セルのリストが含まれており、ブロードキャストチャネル又は専用チャネルを介してＵＥに伝えられる。
【０００３】
ネットワークによって提供される情報がブロードキャストチャネルを介してＵＥに送信される場合、隣接セルリストはSYSTEM INFORMATIONメッセージに含まれることが非特許文献１に開示されている。ＵＥは、隣接セルリストを含むSYSTEM INFORMATIONメッセージを受信し、受信した隣接セルリストを自身のメモリに格納する。
【０００４】
一方、ネットワークによって提供される情報が専用チャネルを介してＵＥに送信される場合、隣接セルリストはMEASUREMENT CONTROLメッセージに含まれる。ＵＥは、隣接セルリストを含むMEASUREMENT CONTROLメッセージを受信し、受信した隣接セルリストを自身のメモリに格納する。なお、ネットワークは、新しい隣接セルリストを作成してMEASUREMENT CONTROLメッセージを送信することによって、ＵＥは接続モード時に隣接セルリストを上書きすることができる。
【０００５】
隣接セルリストにおけるセルは、測定タイプに基づいて、３種類の隣接セルに分類することができる。すなわち、測定中にＵＥ受信周波数の切り替えを必要としないイントラ周波数（intra-frequency）セル、測定中にＵＥ受信周波数の切り替えを必要とするインター周波数（inter-frequency）セル、サービス提供中のセルとは別の無線通信システムに属しているインターシステム（inter-system）セルである。この分類においては、測定タイプのそれぞれについて最大セル数が３２であり、これにより隣接セルリスト内の最大セル数を９６に制限できる。
【０００６】
ＵＥは、通常、セルの測定を一様な順序で実行するため、隣接セルリスト内の測定タイプが同じであるセルについて一度全て測定しないと、それらのセルのいずれについても２回目以降の再測定が行えない。セル測定の順序は、通常はＵＥのメーカー実装の環境設定に基づいて決まるが、ほとんどの場合、ＵＥが受信する隣接セルリストにおけるセルの順序に基づく。
【０００７】
一般的には、イントラ周波数測定が有効であるときには、ＵＥはイントラ周波数測定を実行する。ＵＥがインター周波数測定及びインターシステム測定を実行するタイミングについては、専用チャネルを介して送信されるメッセージによって提供される情報に基づいて決定される。なお、ＵＥが同時に複数の周波数帯を用いた通信を行えない場合、インター周波数測定及びインターシステム測定を実行するには、コンプレストモード（compressed mode）が用いられる。
【０００８】
また、隣接セルリスト内のセル測定に関する優先度情報は、一般には存在しないが、イントラ周波数測定には、特定の形式の優先度情報が提供される。この場合、セルのグループ分けの方法として、Active cell set, Monitored cell set, detected cell setが使用される。ここで、Active cell setとは、現在通信に使用しているセルのセットであり、Monitored cell setとは、ネットワークから通知されたセルのうち、Active cell setに含まれないセルのセットである。また、detected cell setとは、上記２つのセット以外のセルのセットであり、ＵＥが検出したセルで通信に使用されていないセルのセットである。
【０００９】
隣接セルリスト内の全てのセルをＵＥが測定完了するまでの時間は、隣接セルリストに含まれるセル数に依存する。隣接セルリストに含まれるセル数が多いと、測定サイクルが完了するまでの時間は長くなる。このため、ＵＥがセル測定に要する時間を短縮するには、隣接セルリストに含まれるセル数を最小限に維持する必要がある。
【００１０】
非特許文献２に記載されている方法では、隣接セルリスト内のセルのうち最初に測定すべきセルを示す優先度インジケータが導入されている。この優先度インジケータは、制御局の負荷バランシング方式に基づいて決定されるか、または正常なハンドオーバの統計データに基づいて決定される。これにより、非特許文献２に記載の技術では、セルの優先度情報を設定することによって、ＵＥの測定挙動が全体的に変更される。すなわち、隣接セルリスト内のセルのうち、優先度の高いセルの全てが最初に測定され、優先度の低いセルについては、優先度の高いセルの測定が全て完了するまで測定されない。よって、ＵＭＴＳの測定方法と同様に、ＵＥは、セルの測定を一様な順序で実行するため、隣接セルリスト内の測定タイプが同じであるセルの全てについて一度測定しないと、それらのセルについて２回目以降の再測定が行えない。
【００１１】
さらに、非特許文献２においては、隣接セルリスト内のセルのそれぞれは、ＵＥのさまざまなサービス条件時に測定すべきセルに関する情報であり、セルのサービス能力を示すインジケータを有する。このインジケータは、セルのサービス能力（例えば、「非常に高いデータレート」、「高いデータレート」、音声のみ）、依存性フィールド（dependency field）、LTE_IDLEにおけるセルの再選択、無線アクセス技術などに基づいて、測定すべきセルをＵＥに選択させるものである。例えば、「非常に高いデータレート」インジケータを有するセルについては、ＵＥはそのようなサービスが必要な場合のみ測定する。これにより、サービス能力が「高いデータレート」及び「音声のみ」であるセルを測定する必要性が減少する。
【００１２】
このように、非特許文献２に記載の技術は、セルの測定優先度を示すインジケータを用いることにより、隣接セルリストにおける最初に測定すべきセルをＵＥに伝えることができ、また、セルのサービス能力を示すインジケータを用いることにより、測定中にＵＥが監視するセルの数を制限することができ、ＵＥの測定プロセスをより効率的にすることができる。
【非特許文献１】3GPP TS25.331 “Technical Specification Group Radio Access Network; Radio Resource Control (RRC); Protocol Specification”
【非特許文献２】3GPP TSG-RAN WG2#56, R2-063189, “LTE neighbourhood list and measurement organisation”, Riga, Latvia, 6th November - 10th November 2006.
【発明の開示】
【発明が解決しようとする課題】
【００１３】
しかしながら、非特許文献２に記載の技術又は既存のＵＭＴＳシステムでは、測定は依然として一様な順序に基づいて行われ、ＵＥは全てのセルを同じ頻度で測定するため、全体の測定プロセスにおいて測定レポートを送信するまでに長い待ち時間が生じる。測定レポートを送信するまでに要する時間は、隣接セルリストに含まれるセル数が多いほど長くなる。ＧＳＭセルやＵＭＴＳセルなどのインターシステムセルを数多く含むことのできるLTE（Long Term Evaluation）通信システムでは、隣接セルリストに含まれるセル数は多くなる傾向にある。
【００１４】
また、ハンドオーバ候補としてのネットワーク優先セルの測定レポートをＵＥがネットワークに送信できない場合にも問題が生じる。具体的には、ネットワークでは、通常、優先セルがネットワークの負荷バランシングポリシーあるいは以前の正常なハンドオーバの記録に基づいて割り当てられる。ところが、ネットワーク優先セルではないセルのみの測定レポートをネットワークが受信すると、ＵＥは望ましくないセルにハンドオーバしてしまう。ここで、望ましくないセルとしては、この優先セルに含まれないセルであり、例えば、マクロセルと重なっているピコセルが挙げられる。
【００１５】
従って、ネットワークに送られる測定レポートが大きく遅延すると、ハンドオーバ手順完了の遅れ、ＵＥにおける非効率的な電力消費、高速移動時のハンドオーバの失敗、不適切なセルに対する過度なギャップスケジューリング（gap scheduling）などの問題が生じる。
【００１６】
本発明はかかる点に鑑みてなされたものであり、隣接セルの測定レポート待ち時間を短縮する無線通信端末装置及び隣接セル測定方法を提供することを目的とする。
【課題を解決するための手段】
【００１７】
本発明の無線通信端末装置は、自装置が属するセルの周辺セルを示す隣接セルリスト及び前記隣接セルリストに含まれるセルの測定頻度を示すＣＭＦ情報を受信する受信手段と、前記隣接セルリスト及び前記ＣＭＦ情報を用いて、セルを測定する順序である測定シーケンスを生成する測定シーケンス生成手段と、生成された前記測定シーケンスにしたがって、前記隣接セルリストに含まれるセルを測定する測定手段と、を具備する構成を採る。
【００１８】
本発明の隣接セル測定方法は、自装置が属するセルの周辺セルを示す隣接セルリスト及び前記隣接セルリストに含まれるセルの測定頻度を示すＣＭＦ情報を用いて、セルを測定する順序である測定シーケンスを生成する測定シーケンス生成工程と、生成された前記測定シーケンスにしたがって、前記隣接セルリストに含まれるセルを測定する測定工程と、を具備するようにした。
【発明の効果】
【００１９】
本発明によれば、隣接セルの測定レポート待ち時間を短縮することができる。
【発明を実施するための最良の形態】
【００２０】
以下、本発明の実施の形態について、図面を参照して詳細に説明する。ただし、実施の形態において、同一機能を有する構成には、同一符号を付し、重複する説明は省略する。
【００２１】
（実施の形態１）
図１は、本発明の実施の形態１に係る無線通信システムのセル構成を示す概念図である。この図では、任意の地理的領域を複数の隣接するセル（無線サービスエリア）１〜１０に分割している。この図において、セル１〜１０は、同じ無線通信システムに属しており、セル１１及びセル１２は、別の無線通信システムに属している。セル１〜１０のネットワークは、セル１１及びセル１２をインターシステムセルとして認識する。
【００２２】
また、ここでは、複数のＵＥＡ〜Ｃがセル１〜１２の中に存在しているものとする。ＵＥには、移動局、固定又は移動サブスクライバユニットのほか、無線通信ステムにおいて動作可能な他の任意のタイプのデバイスなども含む。無線通信システムの例としては、モバイルネットワーク、すなわちマイクロ波アクセスネットワークによる世界規模のインターオペラビリティなどが挙げられる。
【００２３】
図２は、図１に示した無線通信システムにおける複数のセル（セル１〜１０）のセル送信周波数帯域幅を示している。セルは、それぞれ異なる周波数帯域幅及び搬送波周波数を備えている。セル１〜８の送信帯域幅は１０ＭＨｚであり、セル９及びセル１０の送信帯域幅は２０ＭＨｚである。搬送波周波数に関しては、セル１〜３は同じ搬送波周波数グループに属し、同様に、セル４及びセル５、セル６〜８、セル９及びセル１０がそれぞれ同じグループに属している。セル１１及びセル１２は、セル周波数帯域幅及び搬送波周波数の構成が異なる別の無線通信システムのセルであるため、図２には示していない。
【００２４】
また、図２には、ＵＥＡ〜Ｃの受信帯域幅も示している。ＵＥＡ及びＵＥＣの受信帯域幅は１０ＭＨｚであり、ＵＥＢの受信帯域幅は２０ＭＨｚである。ＵＥの受信器についてもさまざまな構成とすることができ、例えば、デュアル無線受信器、トリプル無線受信器、あるいはインターシステム受信がサポートされるシングル無線受信器などが挙げられる。
【００２５】
図３は、本発明の実施の形態１に係るＵＥの構成を示すブロック図である。図３に示すＵＥは、受信部１０１、測定シーケンス生成部１０２、測定データ収集部１０３、測定レポート生成部１０４、送信部１０５を備えている。
【００２６】
受信部１０１は、ネットワークから送信されたSYSTEM INFORMATIONメッセージ又はMEASUREMENT CONTROLメッセージを受信し、受信したメッセージに含まれる隣接セルリストを測定シーケンス生成部１０２に出力する。
【００２７】
測定シーケンス生成部１０２は、受信部１０１から出力された隣接セルリストとＵＥの受信能力とに基づいて、隣接セルの測定順序を示す測定シーケンスを生成し、生成した測定シーケンスを測定データ収集部１０３に出力する。測定シーケンス生成部１０２の詳細については後述する。
【００２８】
測定データ収集部１０３は、測定シーケンス生成部１０２から出力された測定シーケンスに基づいて、下位レイヤーに測定を指示し、下位レイヤーから隣接セルの測定結果を収集する。収集した測定結果は測定レポート生成部１０４に出力される。
【００２９】
測定レポート生成部１０４は、測定データ収集部１０３から出力された測定結果を含めて測定レポートを生成し、生成した測定レポートを送信部１０５に出力する。
【００３０】
送信部１０５は、測定レポート生成部１０４から出力された測定レポートをネットワークに無線送信する。
【００３１】
図４（ａ）は、Ｅ−ＵＴＲＡＮ（Enhanced Universal Terrestrial Radio Access Network）からＵＥに送信されるSYSTEM INFORMATION BLOCKメッセージを示している。SYSTEM INFORMATION BLOCKメッセージには、隣接セル測定を実行するようにＵＥに指示する情報（隣接セルリスト）を含めることができる。
【００３２】
図４（ｂ）は、Ｅ−ＵＴＲＡＮからＵＥに送信されるMEASUREMENT CONTROLメッセージを示している。MEASUREMENT CONTROLメッセージには、隣接セル測定を実行するようにＵＥに指示する情報（隣接セルリスト）を含めることができる。
【００３３】
図４（ａ）に示したSYSTEM INFORMATION BLOCKメッセージと、図４（ｂ）に示したMEASUREMENT CONTROLメッセージのいずれも、これらを使用して隣接セルリストを送信及び更新することができる。
【００３４】
図５は、図１に示したセル１によって送信される隣接セルリストを示しており、この隣接セルリストは、複数の隣接セル（セル２〜１２）に関する情報で構成されている。なお、隣接セルリストは、実際には、ＵＭＴＳにおけるＡＳＮ．１など任意の方法によって符号化できる。
【００３５】
この隣接セルリストには、セル測定頻度（ＣＭＦ）という情報要素（ＩＥ）が各セルに関連付けられている。ＣＭＦ値が高いセルほど、頻繁に測定され、ＣＭＦ値が低いセルほど、少ない頻度で測定される。よって、ＣＭＦ値の高いセルは、通常は有望なハンドオーバ候補としてのネットワーク優先セルである。ＵＥは、より頻繁に測定されるセルに測定レポートをより早く送ることができ、このようなセルへのハンドオーバの確率が向上する。
【００３６】
なお、ＣＭＦ値は、特定のネットワークエンティティによって複数の条件に基づいて決定される。この条件としては、ネットワーク無線リソース管理（ＲＲＭ）ポリシー、正常なハンドオーバの記録、ホームＰＬＭＮと外部ＰＬＭＮ（visiting PLMN）との間のローミング合意のほか、単純にネットワーク制御局の環境設定に基づくことなどが挙げられる。
【００３７】
また、図５には示していないが、隣接セルリストは、複数のイントラシステムセル及びインターシステムセルで構成することができる。イントラシステムセルとは、サービス提供中のセルと同じ無線通信システムに属するセルであり、イントラ周波数セルとインター周波数セルとに分類することができる。なお、インターシステムセルの対象となる無線通信システムとしては、例えば、ＧＳＭ、ＵＭＴＳ、ＣＤＭＡ２０００などが挙げられる。図５の隣接セルリストにおいては、セル１内に存在しているＵＥＡを基準としたとき、セル２〜１０がイントラシステムセルであり、セル１１及びセル１２がインターシステムセルである。
【００３８】
図６は、図３に示した測定シーケンス生成部１０２における測定シーケンス生成方法を示すフロー図である。以下においては、先に示したＵＥＡを例に説明する。ＵＥＡは、受信帯域幅が１０ＭＨｚであり、セル１内に存在している。さらに、インターＲＡＴ（inter-RAT）通信を行う能力も備えているが、複数の異なる無線アクセスシステム及び複数の異なる周波数帯に同時にアクセスすることはできない。
【００３９】
ステップ（以下、「ＳＴ」と省略する）６０１では、測定シーケンス生成部１０２は、測定タイプに基づいて、隣接セルリストからＣＭＦ値を含んだ複数のリストを生成する。すなわち、イントラ周波数測定リスト、インター周波数測定リスト、インターシステム測定リストを生成する。ＵＥは、端末の受信能力に応じて最初に、隣接セルリストをイントラシステムセルとインターシステムセルとに分類する。次に、イントラシステムセルを２つのグループ、すなわち、イントラ周波数セルとインター周波数セルとに分類する。
【００４０】
ネットワークによるダウンリンク信号におけるギャップのスケジューリングは、ＵＥがインターシステムセル及びインター周波数セルを測定できるように行われる。通常、インターシステムセルはインター周波数セルよりも長い測定時間を要するため、インターシステムセルの測定にはインター周波数セルの測定よりも多くのギャップが必要である。従って、これら３種類の測定を、測定時間及び測定回数に関してＵＥが同等に扱うことは効率的ではないので、ＵＥは、測定インスタンス数の面からこれらのセルを個別に処理する。
【００４１】
また、複数の異なる無線アクセスシステム及び複数の異なる周波数帯に同時にアクセスすることができないＵＥでは、これらの異なる測定タイプを同時に実行できないことも異なるリストを作成する理由である。イントラ周波数セルとインター周波数セルとの間の分類は、ＵＥ側の複数の要因、例えば、ＵＥの受信周波数帯域幅あるいは受信器の構成（これらは通常はネットワークが判断できない）に依存する。ネットワークは、隣接セルリストをブロードキャストチャネルまたは専用チャネルを介して送信するとき、セル情報に加えて、セルの帯域幅及び搬送波周波数の情報を提供する。ＵＥは、セルの帯域幅を調べて、イントラ周波数セルとインター周波数セルとを区別する。
【００４２】
図７は、セル１内に存在しているＵＥＡによって、測定タイプごとに３つのリストが生成されることを示している。ＵＥＡを基準としたとき、イントラ周波数セルとして分類されるセルは、セル２、セル３、セル９、セル１０である（図７（ａ）参照）。これに対して、セル４〜８はインター周波数セル（図７（ｂ）参照）に分類されており、セル１１及びセル１２はインターシステムセル（図７（ｃ）参照）に分類されている。これらのリストには、隣接セルリストからの各ＣＭＦ値も関連付けられている。リストの数及びリストの内容は、能力の異なるＵＥ毎に異なっていてもよい。例えば、現在使用中の周波数帯による通信中に、その使用中の周波数帯とは異なる周波数帯によっても通信できるＵＥの場合、イントラ周波数測定リスト及びインター周波数測定リストという２つのリストを作成する必要はない。
【００４３】
また、現在使用中のシステムとの通信中に、その現在使用中のシステムとは異なるシステムとも通信できるＵＥでは、インターシステム測定専用のリストを作成する必要はない。さらに、現在使用中のシステムとの通信中に、限られたシステムとのみ通信できるＵＥでは、その限られたシステムのセルをイントラ周波数測定リストに含めて、それ以外のシステムのセルはインターシステム測定リストにそのまま格納しておくことができる。
【００４４】
再度、図６を参照するに、ＳＴ６０２では、ＳＴ６０１において生成されたリストのＣＭＦ値に基づいて、測定インスタンスを生成する。図６のＳＴ６０２においてＵＥによって生成される３つの測定インスタンスを図８に示す。これらの測定インスタンスは、それぞれ３種類の測定タイプ、すなわち、イントラ周波数測定、インター周波数測定、インターシステム測定に対応している。セルの測定インスタンスの数は、ＣＭＦ値に等しい。例えば、セル２のＣＭＦ値が１であるため、イントラ周波数測定におけるセル２の測定インスタンスの数は１つである。セル３についても同様であり、セル３の測定インスタンスの数はＣＭＦ値に従って７である。
【００４５】
次いで、ＳＴ６０３では、順序付けを行うことによって、一連の測定インスタンスに対する測定シーケンスを生成する。ここでは、ＳＴ６０１やＳＴ６０２と同様に、３つの測定シーケンスを生成する。すなわち、イントラ周波数測定シーケンス、インター周波数測定シーケンス、インターシステム測定シーケンスである。測定インスタンスの順序付けは、例えば、ＵＥの測定プリファレンスあるいはランダム化に基づく方法など、さまざまな方法によって行うことができる。ただし、順序付けを行わなくてもよいが、良好に分散したランダムな測定挙動を得るためには、測定シーケンスをできるだけ乱雑化する（scramble）必要がある。図９は、順序付け後の、測定タイプ毎の３つの測定シーケンスを示している。ＳＴ６０１の場合と同様に、これらの測定インスタンスは、能力の異なるＵＥごとに異ならせることができる。
【００４６】
測定シーケンス生成部１０２がセル測定シーケンスを生成すると、測定データ収集部１０３は、その測定シーケンスに従ってセルの測定を実行する。セルのＣＭＦ値が０である場合、そのセルについては測定インスタンスが割り当てられないので、そのセルは測定されない。測定シーケンスのサイクルが完了すると、リストの順序付けを行った後、または順序付けを行わずに、測定シーケンスを最初から繰り返すことができる。なお、ランダムな測定挙動を維持するためには、順序付けを毎回実行することが望ましい。
【００４７】
ＵＥは、更新された隣接セルリスト、またはＣＭＦ値のみが更新された隣接セルリストを受信した場合、既存の測定シーケンスを削除して、新しい隣接セルリストに基づいて、新しい測定シーケンスを生成する必要がある。この手順は、図６に記載したものと同じである。
【００４８】
隣接セルリストを複数に分けてＵＥに送信することもできる。隣接セルリストには、予め定義されたセル測定タイプと、予め定義されていないセル測定タイプとを含めることができる。ＧＳＭやＵＭＴＳなどの無線通信システムにおける隣接セルリストに対しては、セル測定タイプとして、イントラ周波数セル、インター周波数セル、及び、インターシステムセルが予め定義されている。本実施の形態では、予め定義されていないセル測定タイプをLTEシステムに使用することを前提にＣＭＦ値を適用したが、これは説明を目的としており、予め定義されたセル測定タイプへの適用を排除するものではない。予め定義されたセル測定カテゴリを採用する無線通信システムにおいても、ＣＭＦ値を適用することができる。ＧＳＭシステム及びＵＭＴＳシステムの場合、セルカテゴリが予め定義されているため、ＵＥは、ブロードキャストチャネル又は専用チャネルを介して隣接セルリストを受信したときに、ＵＥ能力に基づいてセルを分類する必要がない。
【００４９】
セル測定シーケンスとしては、上述した構成以外の構成も可能である。ギャップを利用した測定（gap assisted measurement）の全てにおいて共通のギャップ割り当てが使用されるように無線通信システムが構成されている場合、インター周波数セル及びインターシステムセルの測定を、同一の測定（いずれの測定時にもギャップの形成が要求される）として扱うことができる。この場合、インター周波数測定及びインターシステム測定が１つの測定方式に統合され、同一の測定シーケンスを使用する。ＵＥは、ギャップを利用しない測定シーケンスと、ギャップを利用した別の測定シーケンスとを生成する。
【００５０】
無線通信システムにおいてギャップ割り当てが統一されていない場合、ＵＥは、ギャップを利用しない測定シーケンスと、ギャップを利用した複数の測定シーケンスとを生成する。ギャップを利用した複数の測定タイプとしては、インターシステム、インター周波数、ＧＥＲＡＮ、ＵＴＲＡＮ、イントラ３ＧＰＰ ＷＬＡＮ（intra-3GPP WLAN）、インター３ＧＰＰ ＷＬＡＮ（inter-3GPP WLAN）、３ＧＰＰ２などが挙げられる。
【００５１】
ネットワークによるギャップ割り当てを必要とせずにＵＥがインター周波数測定及びインターシステム測定を実行できる場合、ＵＥは、上述した測定タイプの全てに対して単一の測定シーケンスを使用する。さらに、ＵＥは、独立した測定方式のそれぞれに対して複数の測定シーケンスを使用することもできる。
【００５２】
ネットワークは、ＵＥの移動状態やＵＥのアクティブなサービスなどの要因に基づいて、隣接セルリストにおいて複数のＣＭＦ値セットを伝えることができる。図１０は、高速移動条件用のＣＭＦ値セット（CMF_Hi-Mob）と、ＭＢＭＳが起動されているときにＭＢＭＳを提供できるセルを選択するためのＣＭＦ値セット（CMF_MBMS）とを含めた隣接セルリストを示す。
【００５３】
例えば、高速移動中のＵＥは、高速移動条件用のＣＭＦ値セット（CMF_Hi-Mob）を利用する。高速移動状態にあるＵＥをサポートできるセルは、CMF_Hi-Mobにおいて高いＣＭＦ値に設定される。
【００５４】
また、ＵＥは、ＭＢＭＳなど自身の現在アクティブなサービスを反映した、カスタマイズされたＣＭＦ値セットを持ち、例えば、ＭＢＭＳが起動されているときにＭＢＭＳを提供できるセルを選択するためのＣＭＦ値セット（CMF_MBMS）を利用する。ＭＢＭＳ起動時用のＣＭＦ値セットにおいては、ＭＢＭＳをサポートできるセルのＣＭＦ値を高く設定する。
【００５５】
また、ネットワークは、上述したように複数のＣＭＦ値セットを伝える代わりに、ＣＭＦ値を含んだ隣接セルリストと共にオフセット情報を伝えることができる。オフセット情報は、ＵＥがＣＭＦ値を特定のセルグループに調整するための情報である。例えば、隣接セルグループが、ＭＢＭＳ対応セルとＭＢＭＳ非対応セルとで構成されている場合、ＵＥは、ネットワークからのオフセット情報を使用して、ＭＢＭＳが起動されているときにＭＢＭＳ非対応セルをオフセット処理することができる。ネットワークは、例えば、ＭＢＭＳ、Mobility性、データ、音声、ＱｏＳベースに関する複数のオフセット情報などを提供することができる。
【００５６】
また、別の例としては、インター周波数測定及びインターＲＡＴ測定に対して上述したようにギャップ割り当てが統一されている場合、あるいは、ＵＥがいくつかの周波数帯またはいくつかのＲＡＴを同時に受信できる場合、インター周波数測定シーケンス及びインターＲＡＴ測定シーケンスにオフセットを適用することができる。ＵＥがいくつかの周波数帯を同時に受信できる場合、イントラ周波数セル及びインター周波数セルに対して共通する１つのリストを使用することができる。この場合、一般的にはインター周波数セルに必要な測定頻度の方がイントラ周波数セルに必要な測定頻度より小さいため、インター周波数セルの測定頻度にオフセット値を適用することができる。例えば、図１１（ａ）におけるセル６のＣＭＦ値は６であるが、オフセットの適用後（図１１（ｂ）参照）には、図１２に示したように３に変更される。なお、図１２は、図１１（ａ）の隣接セルリストに図１１（ｂ）のオフセットを適用したリストを示している。
【００５７】
また、ネットワークは、ＣＭＦカットオフ値（CMF cut off value）を伝えることもできる。この値は、ＣＭＦ値がＣＭＦカットオフ値よりも小さいセルについてＵＥが測定しないように制限するものである。隣接セルリストに含まれるセル数が多いとき、別の重要な測定を実行するためのリソースがＣＭＦ値の小さいセルによって占有されるのを回避するため、ＣＭＦ値の小さいセルを測定する必要がないようにすることができる。従って、ＣＭＦカットオフ値を使用することにより、ネットワーク負荷バランシング手順において良好なパフォーマンスを達成することができ、ＵＥはＣＭＦ値の高いセル（通常はネットワーク優先セルに属する）のみ測定すればよい。
【００５８】
このように実施の形態１によれば、隣接セルリストに含まれるセルのＣＭＦ値に基づいて、測定タイプ毎に測定リストを生成し、生成した測定リストから測定インスタンスを生成し、さらに、生成した測定インスタンスを順序付けして測定シーケンスを生成することにより、ＣＭＦ値の高いセルの測定回数を増やすと共に、ＣＭＦ値の低いセルの測定回数を減らすことになるので、優先セルについてはＣＭＦ値を高くして測定回数を増やし、非優先セルについてはＣＭＦ値を低くして測定回数を減らせば、優先セルの測定レポート待ち時間を短縮することができる。
【００５９】
（実施の形態２）
図１３は、本発明の実施の形態２に係るＵＥの構成を示すブロック図である。図１３が図３と異なる点は、測定シーケンス生成部１０２を測定シーケンス生成部１３０１に変更した点である。
【００６０】
測定シーケンス生成部１３０１は、受信部１０１から出力された隣接セルリストとＵＥの受信能力とに基づいて、隣接セルの測定順序を示す測定シーケンスを生成し、生成した測定シーケンスを測定データ収集部１０３に出力する。ここで、測定シーケンス生成部１３０１は、隣接セルリストに含まれていないセルに対して共通のＣＭＦ値を設定し、設定したＣＭＦ値に基づいて測定シーケンス生成する。
【００６１】
図１４は、本発明の実施の形態２に係る隣接セルリストを示す図であり、この隣接セルリストは、共通のＣＭＦ値として新たに初期ＣＭＦ値（D_CMF）を有する。この初期ＣＭＦ値は、隣接セルリストに含まれないセルに対して使用されるものであり、具体的にはＵＭＴＳにおいてdetected セルと呼ばれ、端末が検出したが隣接セルリストに含まれていないセルに対して使用される。
【００６２】
例えば、端末がセル４及びセル５を検出した場合、セル４及びセル５は図１４に示す隣接セルリストに含まれていないので、この２つのセルには、初期ＣＭＦ値である２をＣＭＦ値として割り当てる。このとき生成される測定シーケンスは図１５に示すようになり、セル４及びセル５の測定インスタンスの数はそれぞれ２つである。
【００６３】
このように実施の形態２によれば、隣接セルリストに少ないセルしか含まない運用のネットワークに接続し、端末が隣接セルリストに含まれていないセルを検出した場合にも、隣接セルリストに含まれていないセルを測定することができる。
【００６４】
なお、本実施の形態では、実施の形態１において説明した端末の受信能力による動作については説明の便宜上省略したが、実施の形態１と本実施の形態とを組み合わせて実施することも可能である。
【００６５】
なお、基地局が初期ＣＭＦ値を１つだけ設定してもよいし、ＲＡＴ毎に設定してもよい。ＲＡＴ毎に設定する場合には、例えば、LTEのdetected セル用に１つ、ＵＭＴＳのdetected セル用に１つ、ＧＳＭのdetected セル用に１つ設定することなどが考えられる。
【００６６】
また、初期ＣＭＦ値を周波数毎に設定してもよい。ここで、周波数毎に異なる初期ＣＭＦ値を使用する例として、ＣＳＧ（Closed Subscriber Group）セル（通称、Home eNB、Home Node B、home基地局、家庭内基地局）が考えられる。このＣＳＧセルは、全ての端末が無条件にアクセスできるわけではなく、特定の端末（例えば、家庭においてはHome eNBの持ち主、店舗などにおいてはその来客、会社においてはその従業員など）にのみアクセスを許可するものである。ＣＳＧセルの運用例として、ＣＳＧセルとセルラーを構成するマクロセルとを異なる周波数帯域で運用することが考えられる。また、ＣＳＧセルは１つのマクロセルに数多く存在することが考えられる。このような場合において、全てのＣＳＧセルに対して個別のＣＭＦ値を送信すると、大きなオーバーヘッドとなってしまうため、初期ＣＭＦ値を使用することにより、マクロセルとＣＳＧセルの測定頻度を効率よく制御することができる。具体的には、ＣＳＧセルを多く含むようなエリアが存在する場合には、ＣＳＧセルの存在する周波数の測定頻度を上げることが考えられる。
【００６７】
なお、本実施の形態においても、実施の形態１で説明したように、隣接セルリストにはオフセット情報を通知することができる。ここで、初期ＣＭＦ値と共にオフセット情報を送信することにより、detected セルに対するオフセット情報を設定することも可能である。
【００６８】
また、この初期ＣＭＦ値の設定はセル間で共通の場合もあるし、異なる場合もある。端末は、選択又は接続しているセルが送信する初期ＣＭＦ値を使用する。
【００６９】
また、実施の形態１と同様に、本実施の形態で示した隣接セルリストは報知情報で送信されてもよいし、個別の信号で送信されてもよい。
【００７０】
（実施の形態３）
図１６は、本発明の実施の形態３に係るＵＥの構成を示すブロック図である。図１６が図３と異なる点は、測定シーケンス生成部１０２を測定シーケンス生成部１６０１に変更した点である。
【００７１】
測定シーケンス生成部１６０１は、受信部１０１から出力された隣接セルリストとＵＥの受信能力とに基づいて、隣接セルの測定順序を示す測定シーケンスを生成し、生成した測定シーケンスを測定データ収集部１０３に出力する。ここで、測定シーケンス生成部１６０１は、周波数毎の測定頻度をＭＦ（Measurement Frequency）値として定義している。
【００７２】
図１７は、本発明の実施の形態３に係る周波数リストを示す図であり、周波数毎にＭＦ値が設定されている。ここでは、周波数ｆ２のＭＦ値を２、周波数ｆ３とｆ４のＭＦ値を１としているので、周波数ｆ２に属するセルの測定を周波数ｆ３とｆ４に属するセルの２倍の頻度で行うことになる。
【００７３】
周波数ｆ２としてセル２及びセル３が、周波数ｆ３としてセル４及びセル５が、周波数ｆ４としてセル６及びセル７が端末に検出された場合、生成される測定シーケンスは図１８に示すようになり、検出されたセルの周波数に対応するＭＦ値分の測定インスタンス数が各セルに設けられる。
【００７４】
このように周波数毎にＭＦ値を設定することにより、セル単位ではなく、周波数間で測定の優先順位付けを行うことが可能である。これは、セルラーを構成するマクロセルが存在する周波数と、ＣＳＧセルが存在する周波数帯との間で優先順位付けを行う場合に適用可能である。
【００７５】
なお、ＣＳＧセルとしても、家庭用のセルと店舗等に設置する来客用のセルと２種類が異なる周波数帯で設置されるようなことも考えられる。このような場合に、家庭用のセルと店舗用のセルとの測定頻度をこの周波数単位のＭＦ値で制御することが可能である。
【００７６】
また、端末が基地局に接続して通信を行っているような場合（すなわち、LTEなどでのRRC_CONNECTED状態）では、端末がアクセスできるＣＳＧセルが存在するか否かを検出可能である。そのような場合に、端末がアクセスできるＣＳＧセルが存在する場合には、その周波数のＭＦ値は０以外に設定し、端末がアクセスできるＣＳＧセルが存在しない場合には、その周波数のＭＦ値は０に設定することにより、端末は不要な測定を回避することができる。
【００７７】
なお、上記各実施の形態では、本発明をハードウェアで構成する場合を例にとって説明したが、本発明はソフトウェアで実現することも可能である。
【００７８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００８０】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【００８１】
本発明にかかる無線通信端末装置及び隣接セル測定方法は、LTE通信システムなどの移動体通信システム等に適用できる。
【図面の簡単な説明】
【００８２】
【図１】本発明の実施の形態１に係る無線通信システムのセル構成を示す概念図
【図２】図１に示した無線通信システムにおける複数のセルのセル送信周波数帯域幅を示す図
【図３】本発明の実施の形態１に係るＵＥの構成を示すブロック図
【図４】（ａ）Ｅ−ＵＴＲＡＮからＵＥに送信されるSYSTEM INFORMATION BLOCKメッセージを示す図、（ｂ）Ｅ−ＵＴＲＡＮからＵＥに送信されるMEASUREMENT CONTROLメッセージを示す図
【図５】図１に示したセル１によって送信される隣接セルリストを示す図
【図６】図３に示した測定シーケンス生成部における測定シーケンス生成方法を示すフロー図
【図７】測定タイプ毎に生成される測定リスト
【図８】測定タイプ毎に生成される測定インスタンス
【図９】測定タイプ毎に生成される測定シーケンス
【図１０】複数のＣＭＦ値セットを含めた隣接セルリストを示す図
【図１１】ＣＭＦオフセットを含めた隣接セルリストを示す図
【図１２】オフセットを適用した隣接セルリストを示す図
【図１３】本発明の実施の形態２に係るＵＥの構成を示すブロック図
【図１４】本発明の実施の形態２に係る隣接セルリストを示す図
【図１５】本発明の実施の形態２に係る測定シーケンスを示す図
【図１６】本発明の実施の形態３に係るＵＥの構成を示すブロック図
【図１７】本発明の実施の形態３に係る周波数リストを示す図
【図１８】本発明の実施の形態３に係る測定シーケンスを示す図
【符号の説明】
【００８３】
１０１  受信部
１０２、１３０１、１６０１  測定シーケンス生成部
１０３  測定データ収集部
１０４  測定レポート生成部
１０５  送信部
【図１】
2008236727.tif 000003
【図２】
2008236727.tif 000004
【図３】
2008236727.tif 000005
【図４】
2008236727.tif 000006
【図５】
2008236727.tif 000007
【図６】
2008236727.tif 000008
【図７】
2008236727.tif 000009
【図８】
2008236727.tif 000010
【図９】
2008236727.tif 000011
【図１０】
2008236727.tif 000012
【図１１】
2008236727.tif 000013
【図１２】
2008236727.tif 000014
【図１３】
2008236727.tif 000015
【図１４】
2008236727.tif 000016
【図１５】
2008236727.tif 000017
【図１６】
2008236727.tif 000018
【図１７】
2008236727.tif 000019
【図１８】
2008236727.tif 000020